(57)【要約】【課題】レジかごおよび軽車両等に装備された荷かごへの装着が容易で、製造コストが上昇しない買い物バッグを提供する。【解決手段】買い物バッグ１００は、底面１１６および底面１１６に平行な開口部を備え、底面１１６の面積よりも開口部の面積が大きい略四角錐台形状の本体（収納部１１０、折り返し部１２０、上縁部１３０）と、底面１１６と略平行な面を含む上蓋１５０とを備える。これらの本体および上蓋１５０は可撓性材料で構成され、底面１１６から開口部までのいずれかの高さ位置Ｈ（１）の内面に、上蓋１５０の少なくとも３辺を開閉自在に保持する線ファスナー１４０を備える。開口部の周縁である上縁部１３０には帯状部材１３２が内包されており、この帯状部材１３２は、略四角錐台形状の長辺において露出しており、持ち手として機能する。【選択図】図１
2015216961.tif 000002
【特許請求の範囲】
【請求項１】
保形性のあるかごに好適な買い物バッグであって、
底面および前記底面に平行な開口部を備えた略直方体形状または前記底面の面積よりも前記開口部の面積が大きい略四角錐台形状の本体と、前記底面と略平行な面を含む上蓋とを備え、
前記本体および前記上蓋は可撓性材料で構成され、
前記底面から前記開口部までのいずれかの高さ位置の内面に、前記上蓋の少なくとも３辺を開閉自在に保持する線ファスナーを備えたことを特徴とする、買い物バッグ。
【請求項２】
前記開口部の周縁には帯状部材が内包され、
前記帯状部材は、前記略直方体形状または前記略四角錐台形状の長辺または短辺において露出していることを特徴とする、請求項１に記載の買い物バッグ。
【請求項３】
前記帯状部材は、伸縮性を備えることを特徴とする、請求項２に記載の買い物バッグ。
【請求項４】
前記高さ位置は、前記保形性のあるかごの高さと同等またはかごの高さよりも高いことを特徴とする、請求項１〜請求項３のいずれかに記載の買い物バッグ。
【請求項５】
前記可撓性材料は、繊維生地、または、前記繊維生地に撥水加工もしくは防水加工した生地であることを特微とする、請求項１〜請求項４のいずれかに記載の買い物バッグ。
【発明の詳細な説明】
【技術分野】
【０００１】
本発明は、保形性のあるかごであって自転車を代表とする軽車両等に装備された荷かご（前かごおよび後ろかご）またはデパートやスーパーマーケット等の食料品売り場等で使用される買い物かごに好適な買い物バッグに関し、特に、このような荷かごおよび買い物かご等の保形性のあるかごに容易に取り付けおよび取り外しができて、さらに持ち歩くことができる買い物バッグに関する。なお、本発明における軽車両等とは、自転車、高齢者向け三輪車、バイク（自動二輪車）、高齢者向け電動四輪車等を含む。
【背景技術】
【０００２】
一般的に、スーパーマーケット等で食料品等を買った場合には、レジで清算を済ませた後にレジかご（清算後買い物かご）から食料品等をポリエチレン製、ビニル製、または、塩素系素材のレジ袋に詰められ、自宅へ持ち帰って、食料品等を冷蔵庫または収納庫等へ収納して、不要となったレジ袋には家庭内のごみを詰めて、自治体が収集して焼却されることが多い。なお、スーパーマーケット等によって、清算前買い物かごと清算後買い物かごとを、区別する店舗（たとえば形状は同じで色を変える）と、区別しない店舗（同じ買い物かご）とがあるが、本発明においてはいずれの買い物かご（清算前買い物かごおよび清算後買い物かごであって以下においてレジかごと記載する場合がある）であっても構わない。
【０００３】
このようなレジ袋へ入れ換えて持ち帰る作業はレジかごの底にある重いものから順に掘り出さなければならないこともあり、清算後の入れ換え台が必要である上に、手間もかかる作業である。さらに、家庭内の種々のごみをレジ袋に詰めて簡単に自治体が廃棄処分を行ってくれる場合には便利とも言えるが、無駄な廃棄を誘引することにもなり、環境の破壊を一層招くことになりかねない。
【０００４】
そこで、最近は、レジで清算した食料品等を入れるレジかご内に予め買物用バッグ（いわゆるエコバッグ）を被せ、それに直接入れてもらい、清算後はバッグごとを引き抜いて帰る便利な方法がある。これだと店舗側にとっても入れ換え台の場所が少なくてすみ動線的にもスッキリできる等のメリットがある。さらに、環境保全の点でもメリットがある。さらに、このような風潮の元で、店舗によってはレジ袋を有料化することも増え始めている。
【０００５】
このように、客側および店舗側（さらには環境的にも）にメリットがあるために、エコバッグが素早く普及する土壌はあると言える。しかしながら、その普及には、レジかごへのセッティングに手間がかからず、食料品等を入れ易く、しかも使わないときには小さく折畳み携帯できる買い物バッグが必要である。
また、少し遠方のスーパーマーケット等への買い物は自転車で行くことが多い。自転車には概ね前かごまたは／および後ろかごが装着されており買い物した食料品等をレジ袋または上述したエコバッグに入れて自宅へ帰ることになる。このような自転車のかごに入れることのできるエコバッグを、特開２００９−０９００６３号公報（特許文献１）、特開２００２−１４２８３１号公報（特許文献２）および実用新案登録第３０７２９３８号公報（特許文献３）が開示する。
【０００６】
特許文献１は、従来のエコバックに代表される買物用バッグにおいて、レジかごの中に素早く立体的に納まる構造と簡単に小さく折畳める機能を合わせ持った買物バッグを開示する。より詳しくは、この買物用バッグは、折畳むことができる買物用バッグにおいて、バッグ本体上部の４辺に上蓋を取り付け、バッグ本体底部のまち三角折部分に開閉可能な蝶番型底板を嵌め込み、その蝶番軸部とバッグ本体底部を紐等で貫通させて結び付けたことを特徴とし、蝶番型底板下側の蝶番軸部両端に、張力を働かせた弾性体を架け渡したことを特徴とする。この買物用バッグによると、バッグの大きさがレジかごより小さめでも、蝶番型底板による本体底部の押さえと本体上部４辺の上蓋の内３辺以上の縁掛けによりレジかご内で安定し、物を詰めやすい立体形状を保たせることが可能になる。通常のレジかごの容積はレジ袋ＬＬサイズ２枚分に相当することから、この買物用バッグのサイズを
レジかごの半分のサイズとしても良く、この場合はレジかごにこの買物用バッグを２個揃えて入れることができる。これにより女性も片手で持てる程度になり、しかも自転車の前かごに入る最適な寸法になる。
【０００７】
特許文献２は、特許文献３が開示するエコバッグをさらに進展させたエコエコバッグであって、内面ひだが設けてない袋バッグの円周縁部に、非エンドレス状にピアノ線を個々に縫い込んだ袋バッグをレジかごの中に挿入して広げて、上面カバーをレジかごの外に広げることにより、オープンファスナーの重さにて、レジかごの外面に簡単に垂れ下がり、誰にでも内部に食料品の挿入が簡単に行うことができ、かつ、袋バッグの不使用収納時には、ピアノ線を互いに重ね合わせ、袋バッグを最小形態にして巻き上げてカバンに収納し、何回も誰にでも繰り返し使用可能な形に形成することを特徴とする。このエコエコバッグは、バッグの開口部の４辺にピアノ線を挿入した縁部を設けて、開口部の対向する２辺の縁部から延設された内面ひだおよび他の２辺の縁部から延設された上面カバーをレジかごを覆うように外側に折り曲げている。そして、このエコエコバッグによると、底が平らであるため、車の中に置いても、自転車の荷かごに置いても、荷崩れがしなく安定している。
【０００８】
特許文献３は、エコバッグの高さ方向で中央付近の円周部に縫い込んだ袋バッグ拡張作用のエンドレスのピアノ線により、レジかごの内面に簡単に広げられ、かつ、エコバッグの不使用時には、ピアノ線を捩り曲げ、できた輪を互いに重ね合わせて、エコバッグを最小に折り畳むことのできるエコバッグを開示する。このエコバックも特許文献２のエコエコバッグと同様に、底が平らであるため、車の中に置いても、自転車の荷かごに置いても、荷崩れがしなく安定している。
【先行技術文献】
【特許文献】
【０００９】
【特許文献１】特開２００９−０９００６３号公報
【特許文献２】特開２００２−１４２８３１号公報
【特許文献３】実用新案登録第３０７２９３８号公報
【発明の概要】
【発明が解決しようとする課題】
【００１０】
しかしながら、上述した特許文献１の買物用バッグは、その大きさをレジかごの半分のサイズとした場合に自転車の前かごに入る最適な寸法となることを開示しただけに過ぎない。さらに特許文献１の図２に示すようにレジかごに装着する場合には、略直方体形状の買物用バッグの開口部の長辺側上蓋および短辺側上蓋をレジかごの外側に垂らすに過ぎず、装着安定性が十分であるとは到底言えない。
【００１１】
また、上述した特許文献２のエコエコバッグは、開口部周縁に挿入したピアノ線で保形性を維持するとともに、レジかごに装着する際には上面カバーを手で広げてからレジかごの縁に垂らすと上面カバーどうしを開閉自在なオープンファスナーが表面カバーの端部に設けられているので、その重さで簡単にレジかごの外に上面カバーが垂れ下がり誰にでも容易に扱うことができる。しかしながら、ピアノ線およびファスナーを設ける必要があり、バッグの製造コストが上昇する。また、上面カバーはファスナーの重みだけで垂れ下がっているために容易にまくれ上がってしまう。
【００１２】
また、上述した特許文献３のエコバッグは、開口部周縁に挿入したエンドレスのピアノ線で保形性を維持するとともに、レジかごに装着する際にはバッグ上側に設けられた４辺のひだをレジかごの縁に垂らす。しかしながら、オープンファスナーを備えないためにバッグの製造コストが上昇しないとしても、上面カバーはファスナーの重みもなく垂れ下がっているために非常に容易にまくれ上がってしまう。また、この特許文献３の図７には変形例としてファスナーを備えるエコバッグを開示するが、ひだの代わりに開口部３辺の周縁を開閉自在なファスナーを設けたものに過ぎず、レジかごに装着する際には（ひだ自体がないので）ひだをレジかごの縁に垂らすことができない。
【００１３】
本発明は、従来技術の上述の問題点に鑑みて開発されたものであり、その目的とするところは、保形性のあるかご（レジかごおよび軽車両等に装備された荷かご等）に好適な買
い物バッグであって、レジかごおよび荷かごへの装着が容易で、製造コストが上昇しない買い物バッグを提供することを目的とする。
【課題を解決するための手段】
【００１４】
上記目的を達成するため、本発明に係る、保形性のあるかごに好適な買い物バッグは以下の技術的手段を講じている。
すなわち、この買い物バッグは、底面および前記底面に平行な開口部を備えた略直方体形状または前記底面の面積よりも前記開口部の面積が大きい略四角錐台形状の本体と、前記底面と略平行な面を含む上蓋とを備え、前記本体および前記上蓋は可撓性材料で構成され、前記底面から前記開口部までのいずれかの高さ位置の内面に、前記上蓋の少なくとも３辺を開閉自在に保持する線ファスナーを備えたことを特徴とする。
【００１５】
好ましくは、前記開口部の周縁には帯状部材が内包され、前記帯状部材は、前記略直方体形状または前記略四角錐台形状の長辺または短辺において露出しているように構成することができる。
さらに好ましくは、前記帯状部材は、伸縮性を備えるように構成することができる。
さらに好ましくは、前記高さ位置は、前記保形性のあるかごの高さと同等またはかごの高さよりも高いように構成することができる。
【００１６】
さらに好ましくは、前記可撓性材料は、繊維生地、または、前記繊維生地に撥水加工もしくは防水加工した生地であるように構成することができる。
【発明の効果】
【００１７】
本発明の買い物バッグによれば、保形性のあるかご（レジかごおよび軽車両等に装備された荷かご等）への装着が容易で、製造コストが上昇しない買い物バッグを提供することができる。
【図面の簡単な説明】
【００１８】
【図１】本発明の実施の形態に係る買い物バッグを示す三面図である。
【図２】図１の買い物バッグが装着される自転車荷かごを示す斜視図である。
【図３】図１の買い物バッグが装着されるレジかごを示す斜視図である。
【図４】図２の荷かごに買い物バッグを装着した第１の状態を示す斜視図である。
【図５】図２の荷かごに買い物バッグを装着した第２の状態を示す斜視図である。
【図６】図２の荷かごに買い物バッグを装着した第３の状態を示す斜視図である。
【図７】図１の買い物バッグを持ち歩く状態を示す斜視図である。
【発明を実施するための形態】
【００１９】
以下、本発明の実施の形態に係る買い物バッグ１００を、図面に基づき詳しく説明する。
［買い物バッグ構造］
図１に、買い物バッグ１００の三面図を示す。図１（Ａ）が買い物バッグ１００の側面図であって、図１（Ｂ）が買い物バッグ１００の正面図であって、図１（Ｃ）が買い物バッグ１００の上面図であって、図１（Ｄ）が買い物バッグ１００の折り返し部１２０を折り返した状態の側面図である。また、図２が買い物バッグ１００が好適に装着される自転車荷かご２００を示す斜視図であって、図３が買い物バッグ１００が好適に装着されるレジかご３００を示す斜視図である。これらの自転車荷かご２００およびレジかご３００は、硬質のプラスチック素材等で成形され、この買い物バッグ１００が好適に用いられる保形性のあるかごの一例である。さらに、図４〜図６が荷かご２００に買い物バッグ１００を装着した状態を示す斜視図であって、図７が買い物バッグ１００を持ち歩く状態を示す斜視図である。なお、図４が図１（Ｄ）に、図６で上蓋１５０を閉じた状態が図１（Ａ）〜図１（Ｃ）に、それぞれ対応する。
【００２０】
これらの三面図および斜視図に示すように、この買い物バッグ１００は、底面１１６および底面１１６に平行な開口部を備え、底面１１６の面積よりも開口部の面積が大きい略四角錐台形状の本体（収納部１１０と折り返し部１２０と上縁部１３０とから構成される）と、底面１１６と略平行な面を含む上蓋１５０とを備える。これらの本体および上蓋１５０は可撓性材料で構成され、可撓性材料の一例として、繊維生地（綿、ナイロン、ポリ
エチレン、ポリ塩化ビニル等）、または、このような繊維生地に撥水加工もしくは防水加工した生地が挙げられる。なお、本体の形状は、後述するように、かごの形状に対応していればよく、たとえば略直方体形状であっても構わない。
【００２１】
特徴的であるのは、底面１１６から開口部までのいずれかの高さ位置（図１におけるＨ（１）の高さ位置）の内面に、上蓋１５０の少なくとも３辺を開閉自在に保持する線ファスナー１４０を備えたことである。この線ファスナー１４０の高さ位置（図１におけるＨ（１））は、保形性のあるかごの高さ（図２におけるＨ（３）および図３におけるＨ（４））よりも、図６に示すように（少なくとも）高い。また、線ファスナー１４０は樹脂性であっても金属製であっても構わないが、可撓性材料で構成された買い物バッグ１００の本体よりも柔軟性がない（線ファスナー１４０の部分が硬い）。
【００２２】
このように、この線ファスナー１４０の高さ位置（Ｈ（１））を、保形性のあるかごの高さ（Ｈ（３）およびＨ（４））よりも高くすることにより、この買い物バッグ１００を保形性のあるかごに装着して、買い物バッグ１００の折り返し部１２０を折り返した場合に、買い物バッグ１００の底面１１６がかごの底面から浮くことがない。また、この点では、この線ファスナー１４０の高さ位置（Ｈ（１））は、保形性のあるかごの高さ（Ｈ（３）およびＨ（４））よりも少なくとも高ければよい。たとえば、この線ファスナー１４０の高さ位置（Ｈ（１））は、保形性のあるかごの高さ（Ｈ（３）およびＨ（４））と同等であっても構わない。
【００２３】
このように構成することにより、この買い物バッグ１００を保形性のあるかごに装着する場合において、
１）折り返し位置に線ファスナー１４０を設けているので、どの高さ位置で折り返し部１２０を折り返すのかについて迷うことがなく、
２）可撓性材料で構成された買い物バッグ１００の本体よりも線ファスナー１４０の方が柔軟性がない（線ファスナー１４０の部分が硬い）ために、折り返し部１２０を容易に折り返すことができ、
３）この線ファスナー１４０の高さ位置（Ｈ（１））が保形性のあるかごの高さ（Ｈ（３）およびＨ（４））よりも高い場合には、買い物バッグ１００の底面１１６がかごの底面から浮くことがなく、かつ、可撓性材料で構成された買い物バッグ１００の本体よりも線ファスナー１４０の方が柔軟性がなく（線ファスナー１４０の部分が硬く）保形性のあるかごにより支持されない買い物バッグ１００の上方においても開口部の周囲（少なくとも３辺）が硬い線ファスナー１４０により保形されているので、開口部（図５における買い物バッグ１００の上端）が捩れて閉じてしまうことなく、
４）特に、この線ファスナー１４０の高さ位置（Ｈ（１））を保形性のあるかごの高さ（Ｈ（３）およびＨ（４））と同等（折り返し幅を考慮して少し高い場合を含む）である場合には、買い物バッグ１００の底面１１６がかごの底面から浮くことがないことに加えて、買い物バッグ１００を保形性のあるかごに（少なくとも高さ方向において）ぴったりと（精度高く）装着することができる。
【００２４】
さらに、開口部の周縁である上縁部１３０には帯状部材１３２が内包されており、この帯状部材１３２は、略四角錐台形状の長辺において露出して、図７に示すように持ち手として機能する。なお、この帯状部材１３２が露出する位置は、略四角錐台形状の短辺であっても、長辺および短辺であっても構わない。さらに、この帯状部材１３２は、伸縮性を備えるように構成することもできる。帯状部材１３２が伸縮性を備えると、後述する荷かご２００およびレジかご３００に図４および図５に示すように装着したときに、帯状部材１３２が縮んで、荷かご２００およびレジかご３００から買い物バッグ１００がずれることを回避することができる。
【００２５】
以下において、この買い物バッグ１００の構造について、図１〜図７を参照して、さらに詳しく説明する。この買い物バッグ１００の本体を構成する収納部１１０は、略四角錐台の側面である収納部長辺側面１１２および収納部短辺側面１１４と、略四角錐台の底面である底面１１６とで構成される。同じように、この買い物バッグ１００の本体を構成する折り返し部１２０は、略四角錐台の側面であって収納部長辺側面１１２に連続する折り
返し部長辺側面１２２および収納部短辺側面１１４に連続する折り返し部短辺側面１２４とで構成される。さらに、この買い物バッグ１００の本体を構成する上縁部１３０において、略四角錐台の上端側の全周において筒状に縫製された部分に、買い物バッグ１００を持ち歩く際の持ち手となる帯状部材１３２が内包されている。
【００２６】
そして、収納部１１０の高さはＨ（１）であって、収納部１１０と折り返し部１２０と上縁部１３０とから構成される本体の高さはＨ（２）であって、このＨ（１）の高さ位置における本体の内面に線ファスナー１４０を備え、この線ファスナー１４０は、Ｈ（１）の高さ位置において上蓋１５０を開閉自在に保持し、図４に示すように３辺を閉じたり図５に示すように３辺を開いたりすることができる。なお、残りの１辺の途中まで線ファスナーを設けるようにしても構わないが、この線ファスナー１４０は少なくとも３辺について開閉自在に上蓋１５０を保持する。この線ファスナー１４０は（２個に限定されるものではないが）２個のスライダー１４２を備え、図４に示す閉塞状態から、相反する方向へスライダー１４２を移動させることにより、図５に示す開放状態へ迅速にかつ容易に移行させることができる。
【００２７】
ここで、この買い物バッグ１００の本体の高さ以外の寸法は、限定されるものではないが、自転車荷かご２００またはレジかご３００の内寸法よりも小さい外寸法である。また、自転車荷かご２００またはレジかご３００の内面形状にこの買い物バッグ１００の本体の外面形状に対応していることが好ましい。本実施の形態においては、自転車荷かご２００またはレジかご３００の（内面）形状が略四角錐台形状であるために、この買い物バッグ１００の本体の外面形状が略四角錐台形状となっている。多くの場合、荷物の出し入れ作業を容易にすべく、自転車荷かご２００またはレジかご３００の（内面）形状は略四角錐台形状である。
【００２８】
なお、自転車荷かご２００に装着した買い物バッグ１００を容易に盗難されないように、自転車荷かご２００との締結部材（たとえば面ファスナー等）を買い物バッグ１００に設けることも好ましい。
［使用方法］
以上のような構造を備える本実施の形態に係る買い物バッグ１００の使用方法を図４〜図７を参照して説明する。
【００２９】
まず、図４に示すように、荷かご２００に買い物バッグ１００が装着されている自転車で買い物に出掛ける。このとき、荷かご２００の高さＨ（３）よりも高い位置Ｈ（１）であって線ファスナー１４０が設けられた位置で折り返し部１２０が折り返されて、折り返し部１２０が荷かご２００の外側に覆い被せられている。また、上蓋１５０は閉じられている。
【００３０】
買い物するスーパーマーケット等に到着すると自転車を降りて、スライダー１４２を移動させて図５に示すように、上蓋１５０を開く。次に、Ｈ（１）で折り返されて荷かご２００の外側に覆い被せられていた折り返し部１２０を図６に示すように上方へ伸ばす。この状態で帯状部材１３２を手で持って、買い物かごを上方へ上げると、図７に示すように、筒状に縫製された部分に内包されていた帯状部材１３２がさらに露出して、開口部を絞るとともに帯状部材１３２が買い物バッグ１００を持ち歩く際の持ち手となる。
【００３１】
なお、図４に示す状態から上蓋１５０を開ける必要がないとき、または、雨天等で上蓋１５０を開けたくないときには、図４に示す状態で、荷かご２００の外側に覆い被せられていた折り返し部１２０を上方へ伸ばし（図６で上蓋１５０が閉じている状態）、帯状部材１３２を手で持って、買い物かご１００を上方へ上げると、図７に示す状態とすることも可能である。このように、図４に示す状態と図６に示す状態との移行時には、上蓋１５０は閉じられていても開かれていてもいずれであっても構わない。
【００３２】
スーパーマーケット等の清算レジにおいて、レジかご３００（清算後買い物かご）に図７の状態の買い物バッグ１００を、図６（この図６を含めて図５および図６では荷かご２００であるがこの段落および次の段落における説明では図５および図６における荷かご２００はレジかご３００であるとする）に示すように入れる。そして、レジかご３００の高さＨ（４）よりも高い位置Ｈ（１）であって線ファスナー１４０が設けられた位置で折り
返し部１２０を折り返して、折り返し部１２０をレジかご３００の外側に覆い被せて図５に示す状態になる。この場合において、可撓性材料で構成された買い物バッグ１００の本体よりも線ファスナー１４０の方が柔軟性がない（線ファスナー１４０の部分が硬い）ために、折り返し部１２０を容易に折り返すことができる。また、折り返し位置に線ファスナー１４０を設けているので、どの高さ位置で折り返し部１２０を折り返すのかについて迷うことがない。
【００３３】
図５に示す状態の買い物バッグ１００に清算が終わった商品を入れていき、次に、図６に示すように、Ｈ（１）で折り返されてレジかご３００の外側に覆い被せられていた折り返し部１２０を上方へ伸ばし（このとき上蓋１５０が閉じられていても構わない）、帯状部材１３２を手で引っ張り、買い物かごを上方へ上げると、図７に示す状態となる。このとき、買い物バッグ１００には商品が入っている。
【００３４】
スーパーマーケット等の駐輪場等において、自転車の荷かご２００に図７の状態の買い物バッグ１００を、図６に示すように入れる。そして、荷かご２００の高さＨ（３）よりも高い位置Ｈ（１）であって線ファスナー１４０が設けられた位置で折り返し部１２０を折り返して、折り返し部１２０を荷かご２００の外側に覆い被せて（このとき上蓋１５０が閉じられていても構わない）図５に示す状態になる。この場合において、可撓性材料で構成された買い物バッグ１００の本体よりも線ファスナー１４０の方が柔軟性がない（線ファスナー１４０の部分が硬い）ために、折り返し部１２０を容易に折り返すことができる。また、折り返し位置に線ファスナー１４０を設けているので、どの高さ位置で折り返し部１２０を折り返すのかについて迷うことがない。次に、上蓋１５０が閉じられていない場合には、スライダー１４２を移動させて図４に示すように、上蓋１５０を閉じて自転車で自宅へ帰る。
【００３５】
自宅へ着くと、スーパーマーケット等に到着した時と同じように、荷かごから買い物バッグ１００を取り出して（このとき上蓋１５０が閉じた状態のままであると商品を脱落させない点で好ましい）図７に示す状態で商品を運搬する。
以上のようにして、本実施の形態に係る買い物バッグ１００によると、レジかご３００および軽車両等に装備された荷かご２００への装着が容易で、持ち歩くことができ、かつ、折り返し位置にピアノ線やワイヤーを設ける必要がないので製造コストが上昇することを抑制することができる。
【００３６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３７】
本発明は、自転車を代表とする軽車両等に装備された荷かご（前かごおよび後ろかご）に好適であり、荷かごおよび買い物かご（清算前買い物かご）に容易に取り付けおよび取り外しできて、さらに持ち歩くことができる点で特に好適である。
【符号の説明】
【００３８】
１００    買い物バッグ（バッグ）
１１０    収納部
１１２    収納部長辺側面
１１４    収納部短辺側面
１１６    底面
１２０    折り返し部
１２２    折り返し部長辺側面
１２４    折り返し部短辺側面
１３０    上縁部
１３２    帯状部材（持ち手）
１４０    線ファスナー
１４２    スライダー
１５０    上蓋
２００    自転車用荷かご
３００    レジかご
【図１】
2015216961.tif 000003
【図２】
2015216961.tif 000004
【図３】
2015216961.tif 000005
【図４】
2015216961.tif 000006
【図５】
2015216961.tif 000007
【図６】
2015216961.tif 000008
【図７】
2015216961.tif 000009